【手続補正書】
【提出日】平成30年8月21日(2018.8.21)
【手続補正１】
【補正対象書類名】明細書
【補正対象項目名】０００９
【補正方法】変更
【補正の内容】
【０００９】
上記の目的を達成するため、本発明による撮像装置は、被写体を撮影して画像データを得る撮像装置であって、複数の被写体の各々についてその特徴量が特徴情報として予め格納された第１のデータベースと、前記画像データに応じてライブビュー表示が行われている際に、前記画像データにおいて被写体を検出する検出手段と、前記被写体の画像から前記被写体の特徴量を示す特徴情報を抽出する抽出手段と、前記抽出手段で抽出された特徴情報と前記第１のデータベースに格納された特徴情報とを照合して個人認証処理を行う認証手段と、前記ライブビュー表示が行われている際に、前記認証手段で個人認証処理に成功し、前記抽出手段によって抽出された特徴情報に応じて第２のデータベースを生成する生成手段と、を有し、前記ライブビュー表示を停止した後に、前記ライブビュー表示を再開するイベントが生じると、前記認証手段は前記第２のデータベースを用いて前記個人認証処理を行うことを特徴とする。
【手続補正２】
【補正対象書類名】明細書
【補正対象項目名】００１０
【補正方法】変更
【補正の内容】
【００１０】
本発明による制御方法は、複数の被写体の各々についてその特徴量が特徴情報として予め格納された第１のデータベースを備え、被写体を撮影して得られた画像データを前記第１のデータベースと照合して個人認証を行う撮像装置の制御方法であって、前記画像データに応じてライブビュー表示が行われている際に、前記画像データにおいて被写体を検出する検出ステップと、前記被写体の画像から前記被写体の特徴量を示す特徴情報を抽出する抽出ステップと、前記抽出ステップで抽出された特徴情報と前記第１のデータベースに格納された特徴情報とを照合して個人認証処理を行う認証ステップと、前記ライブビュー表示が行われている際に、前記認証ステップで個人認証処理に成功し、前記抽出ステップで抽出された特徴情報に応じて第２のデータベースを生成する生成ステップと、を有し、前記ライブビュー表示を停止した後に、前記ライブビュー表示を再開するイベントが生じると、前記認証ステップでは前記第２のデータベースを用いて前記個人認証処理を行うことを特徴とする。
【手続補正３】
【補正対象書類名】明細書
【補正対象項目名】００１１
【補正方法】変更
【補正の内容】
【００１１】
本発明による制御プログラムは、複数の被写体の各々についてその特徴量が特徴情報として予め格納された第１のデータベースを備え、被写体を撮影して得られた画像データを前記第１のデータベースと照合して個人認証を行う撮像装置で用いられる制御プログラムであって、前記撮像装置が備えるコンピュータに、前記画像データに応じてライブビュー表示が行われている際に、前記画像データにおいて被写体を検出する検出ステップと、前記被写体の画像から前記被写体の特徴量を示す特徴情報を抽出する抽出ステップと、前記抽出ステップで抽出された特徴情報と前記第１のデータベースに格納された特徴情報とを照合して個人認証処理を行う認証ステップと、前記ライブビュー表示が行われている際に、前記認証ステップで個人認証処理に成功し、前記抽出ステップで抽出された特徴情報に応じて第２のデータベースを生成する生成ステップと、を実行させ、前記ライブビュー表示を停止した後に、前記ライブビュー表示を再開するイベントが生じると、前記認証ステップでは前記第２のデータベースを用いて前記個人認証処理を行うことを特徴とする。
【手続補正４】
【補正対象書類名】明細書
【補正対象項目名】００１２
【補正方法】変更
【補正の内容】
【００１２】
本発明によれば、ライブビュー動作を再開した後に、高速かつ高精度に個人認証を行うことができる。
【手続補正５】
【補正対象書類名】特許請求の範囲
【補正対象項目名】全文
【補正方法】変更
【補正の内容】
【特許請求の範囲】
【請求項１】
被写体を撮影して画像データを得る撮像装置であって、
複数の被写体の各々についてその特徴量が特徴情報として予め格納された第１のデータベースと、
前記画像データに応じてライブビュー表示が行われている際に、前記画像データにおいて被写体を検出する検出手段と、
前記被写体の画像から前記被写体の特徴量を示す特徴情報を抽出する抽出手段と、
前記抽出手段で抽出された特徴情報と前記第１のデータベースに格納された特徴情報とを照合して個人認証処理を行う認証手段と、
前記ライブビュー表示が行われている際に、前記認証手段で個人認証処理に成功し、前記抽出手段によって抽出された特徴情報に応じて第２のデータベースを生成する生成手段と、を有し、
前記ライブビュー表示を停止した後に、前記ライブビュー表示を再開するイベントが生じると、前記認証手段は前記第２のデータベースを用いて前記個人認証処理を行うことを特徴とする撮像装置。
【請求項２】
前記検出手段は、被写体として人物の顔を検出し、前記特徴情報は人物の顔の特徴量を示すことを特徴とする請求項１に記載の撮像装置。
【請求項３】
前記画像データにおける前記被写体の各々の位置を示す位置情報に応じて、前記個人認証処理を行う順番を決定する決定手段を有することを特徴とする請求項１又は２に記載の撮像装置。
【請求項４】
前記決定手段は、前記ライブビュー表示を停止する前の画像データにおける前記被写体の位置を示す位置情報に応じて、前記ライブビュー表示を再開した後の前記個人認証処理を行う順番を決定することを特徴とする請求項３に記載の撮像装置。
【請求項５】
複数の被写体の各々についてその特徴量が特徴情報として予め格納された第１のデータベースを備え、被写体を撮影して得られた画像データを前記第１のデータベースと照合して個人認証を行う撮像装置の制御方法であって、
前記画像データに応じてライブビュー表示が行われている際に、前記画像データにおいて被写体を検出する検出ステップと、
前記被写体の画像から前記被写体の特徴量を示す特徴情報を抽出する抽出ステップと、
前記抽出ステップで抽出された特徴情報と前記第１のデータベースに格納された特徴情報とを照合して個人認証処理を行う認証ステップと、
前記ライブビュー表示が行われている際に、前記認証ステップで個人認証処理に成功し、前記抽出ステップで抽出された特徴情報に応じて第２のデータベースを生成する生成ステップと、を有し、
前記ライブビュー表示を停止した後に、前記ライブビュー表示を再開するイベントが生じると、前記認証ステップでは前記第２のデータベースを用いて前記個人認証処理を行うことを特徴とする制御方法。
【請求項６】
複数の被写体の各々についてその特徴量が特徴情報として予め格納された第１のデータベースを備え、被写体を撮影して得られた画像データを前記第１のデータベースと照合して個人認証を行う撮像装置で用いられる制御プログラムであって、
前記撮像装置が備えるコンピュータに、
前記画像データに応じてライブビュー表示が行われている際に、前記画像データにおいて被写体を検出する検出ステップと、
前記被写体の画像から前記被写体の特徴量を示す特徴情報を抽出する抽出ステップと、
前記抽出ステップで抽出された特徴情報と前記第１のデータベースに格納された特徴情報とを照合して個人認証処理を行う認証ステップと、
前記ライブビュー表示が行われている際に、前記認証ステップで個人認証処理に成功し、前記抽出ステップで抽出された特徴情報に応じて第２のデータベースを生成する生成ステップと、を実行させ、
前記ライブビュー表示を停止した後に、前記ライブビュー表示を再開するイベントが生じると、前記認証ステップでは前記第２のデータベースを用いて前記個人認証処理を行うことを特徴とする制御プログラム。